(57)【要約】【課題】建物ユニットの変形が生じても、間柱に取り付けた窓枠や面材等の部材の変形、破損を防止できる間柱の取付構造を提供する。【解決手段】建物ユニット１の柱２，２間に配置された間柱７の上下端部のうち少なくとも一方の端部を、梁３，４にその長手方向にスライド可能に取り付ける。したがって、建物ユニット１が横方向に揺れながら側面視略平行四辺形状態に変形すると、それに伴って間柱７の端部が梁３，４上をこの梁３，４の長手方向に沿ってスライドすることによって、間柱７が傾斜するのを防止して、該間柱７を鉛直方向に向けた状態に維持できる。したがって、間柱７に取り付けられている窓枠や面材（外装面材８、内装面材１６）等の部材の変形、破損を防止できる。【選択図】図５
2005307497.tif 000002
【特許請求の範囲】
【請求項１】
構造躯体が柱および梁で構成される略直方体状をなす建物ユニットの柱間に配置された間柱を、前記建物ユニットの上下の梁に取り付ける間柱の取付構造であって、
前記間柱の上下端部のうち少なくとも一方の端部が、前記梁にその長手方向にスライド可能に取り付けられていることを特徴とする間柱の取付構造。
【請求項２】
請求項１に記載の間柱の取付構造において、
前記間柱に外装面材が取り付けられていることを特徴とする間柱の取付構造。
【請求項３】
請求項１または２に記載の間柱の取付構造において、
前記間柱に内装面材が取り付けられていることを特徴とする間柱の取付構造。
【請求項４】
請求項２または３に記載の間柱の取付構造において、
前記間柱が複数平行に配置され、これら複数の間柱に少なくとも前記外装面材が予め取り付けられることによって、パネル状部材が形成され、
このパネル部状部材の間柱の上下端部のうち少なくとも一方の端部が、前記梁にその長手方向にスライド可能に取り付けられていることを特徴とする間柱の取付構造。
【請求項５】
請求項４に記載の間柱の取付構造において、
前記外装面材は、その上下端部が前記間柱の上下端よりそれぞれ突出するようにして該間柱に取り付けられており、
前記間柱の上下端よりそれぞれ突出している外装面材の上下端部が、それぞれ前記建物ユニットの上下の梁の前面を覆っていることを特徴とする間柱の取付構造。
【発明の詳細な説明】
【技術分野】
【０００１】
本発明は、建物ユニットに間柱を取り付ける間柱の取付構造に関する。
【背景技術】
【０００２】
近年、工業化率を高めて建設現場での施工期間を短縮するために、複数の建物ユニットを予め工場で製造し、これらを建設現場で組み合わせて建物を構築するユニット工法が用いられている。建物ユニットは、柱および梁を直方体形状に組んで骨組みを形成し、この直方体状の骨組みに床材、壁材、天井材等の設備部材を組み付けて製造される。
このような建物ユニットの側面に窓サッシ等を組み付ける場合、骨組みに間柱を設けるようにしている。
例えば、特許文献１には、間柱間に矩形状の枠組を取り付け、この枠組に窓サッシの窓枠を取り付ける技術が開示されている。
【特許文献１】特開２０００−３８７８６号公報
【発明の開示】
【発明が解決しようとする課題】
【０００３】
ところが、前記特許文献１に記載の技術では、建物ユニットの上下の梁にそれぞれ間柱の上下端部を固定しているので、例えば地震等の際に建物ユニットに横方向の力が作用して、該建物ユニットが横方向に揺れながら側面視略平行四辺形状態に変形すると、これに伴って間柱も斜めに傾くので該間柱間に取り付けられた窓枠が変形したり破損する恐れがある。同様に間柱に外装面材や内装面材を取り付けた場合も、これら面材が変形したり破損する恐れがある。
【０００４】
本発明は上記事情に鑑みてなされたものであり、建物ユニットに変形が生じても、間柱に取り付けた窓枠や面材等の部材の変形、破損を防止できる間柱の取付構造を提供することを課題としている。
【課題を解決するための手段】
【０００５】
上記課題を解決するために、請求項１に記載の発明は、例えば図１〜図６に示すように、構造躯体が柱２および梁３，４で構成される略直方体状をなす建物ユニット１の柱２，２間に配置された間柱７を、前記建物ユニット１の上下の梁３，４に取り付ける間柱の取付構造であって、
前記間柱７の上下端部のうち少なくとも一方の端部が、前記梁３，４にその長手方向にスライド可能に取り付けられていることを特徴とする。
【０００６】
請求項１に記載の発明によれば、間柱７の上下端部のうち少なくとも一方の端部が、建物ユニット１の梁３，４にその長手方向にスライド可能に取り付けられているので、例えば地震等の際に建物ユニット１に横方向の力が作用して、該建物ユニット１が横方向に揺れながら側面視略平行四辺形状態に変形すると、それに伴って間柱７の端部が梁３，４上をこの梁３，４の長手方向に沿ってスライドすることによって、間柱７が傾斜するのを防止して、該間柱７を鉛直方向に向けた状態に維持できる。したがって、間柱７に取り付けられている窓枠や面材（外装面材８、内装面材１６）等の部材の変形、破損を防止できる。
【０００７】
請求項２に記載の発明は、請求項１に記載の間柱の取付構造において、前記間柱７に外装面材８が取り付けられていることを特徴とする。
【０００８】
請求項２に記載の発明によれば、請求項１と同様に、建物ユニット１が変形しても、間柱７を鉛直方向に向けた状態に維持できるので、この間柱７に取り付けられている外装面材８の変形、破損を防止できる。
【０００９】
請求項３に記載の発明は、請求項１または２に記載の間柱の取付構造において、前記間柱７に内装面材１６が取り付けられていることを特徴とする。
【００１０】
請求項３に記載の発明によれば、請求項１または２と同様に、建物ユニット１が変形しても、間柱７を鉛直方向に向けた状態に維持できるので、この間柱７に取り付けられている内装面材１６の変形、破損を防止できる。
【００１１】
請求項４に記載の発明は、請求項２または３に記載の間柱の取付構造において、
前記間柱７が複数平行に配置され、これら複数の間柱７に少なくとも前記外装面材８が予め取り付けられることによって、パネル状部材６が形成され、
このパネル状部材６の間柱７の上下端部のうち少なくとも一方の端部が、前記梁３，４にその長手方向にスライド可能に取り付けられていることを特徴とする。
【００１２】
請求項４に記載の発明によれば、パネル状部材６を工場等で予め製造しておくことにより、間柱７を建物のユニット１の梁３，４に取り付けると同時に、外装面材８を建物ユニットに取り付けることができ、現場での施工が簡単となる。
【００１３】
請求項５に記載の発明は、請求項４に記載の間柱の取付構造において、
前記外装面材８は、その上下端部が前記間柱７の上下端よりそれぞれ突出するようにして該間柱７に取り付けられており、
前記間柱７の上下端よりそれぞれ突出している外装面材８の上下端部が、それぞれ前記建物ユニット１の上下の梁３，３の前面を覆っていることを特徴とする。
【００１４】
請求項５に記載の発明によれば、建物ユニット１にパネル状部材６を取り付けることによって、外装面材８の上下端部が、それぞれ前記建物ユニット１の上下の梁３，４の前面を覆っているので、梁３，４の前面に別途外装面材を取り付ける必要がなく、その分施工が簡単となる。
【発明の効果】
【００１５】
本発明によれば、間柱の上下端部のうち少なくとも一方の端部が、建物ユニットの梁にその長手方向にスライド可能に取り付けられているので、例えば地震等の際に建物ユニットに横方向の力が作用して、該建物ユニットが横方向に揺れながら側面視略平行四辺形状態に変形すると、それに伴って間柱の端部が梁上をこの梁の長手方向に沿ってスライドすることによって、間柱が傾斜するのを防止して、該間柱を鉛直方向に向けた状態に維持できる。したがって、間柱に取り付けられている窓枠や面材等の部材の変形、破損を防止できる。
【発明を実施するための最良の形態】
【００１６】
以下、図面を参照して本発明の実施の形態について説明する。
図１は本発明に係る間柱の取付構造を備えるべき建物ユニットの一例を示すものである。この図に示す建物ユニット１は、４本の柱２と、これら４本の柱２の上端間を連結する上梁３と、４本柱２の下端間を連結する下梁４とを含む骨組み５を備えている。なお、前記柱２は四角筒状の鉄骨、上梁３、下梁４は断面コ字状の鉄骨によって形成されている。
また、骨組み５には、床材２０（図２参照）や、天井材等が組み付けられるようになっている。
【００１７】
前記骨組み５には、以下のようにして、複数の間柱を備えたパネル状部材６が取り付けられる。
すなわち、パネル状部材６は、４本の間柱７と外装面材８とを備えている。間柱７は四角筒状の鉄骨で形成されたものであり、互いに所定間隔で平行に配置されている。これら４本の間柱７は、外装面材８の裏面に固定されている。この固定は例えば外装面材８からビス等を間柱７にねじ込むことによって行われている。
また、前記間柱７の長さは、前記建物ユニット１の上梁３と下梁４との間の距離より所定長さだけ短くなっている。つまり、地震等の際に、建物ユニット１に横方向の力が作用して、該建物ユニット１が側面視略平行四辺形状態に変形した場合における、上梁３と下梁４との間の距離より若干短くなるように、間柱７の長さが設定されている。
また、外装面材８は、その横方向の長さが隣り合う柱２，２間の長辺側の距離とほぼ等しくなっており、縦方向の長さは上梁３の上面と下梁４の下面との間とほぼ等しくなっている。
【００１８】
また、パネル状部材６の各間柱７の上端部には、該間柱７の上端部を上梁３にその長手方向にスライド可能に取り付けるための取付金具１０が取り付けられている。すなわち、取付金具１０は、図２〜図６に示すように、断面Ｌ字状に形成されており、間柱７に取り付けられる第１プレート１０ａと、この第１プレート１０ａと直角に形成されて、上梁３に取り付けられる第２プレート１０ｂとを備えている。この第２プレート１０ｂには、横長の長穴１０ｄが形成されている。
前記第１プレート１０ａには縦長の長穴１０ｃが形成されている。一方、間柱７の上端部の側面にはボルト挿通用の穴が形成されており、間柱７の内面にはこの穴に対向してナット１１ｂが溶接等によって固定されている。そして、第１プレート１０ａは、それを間柱７の上端部側面に当接したうえで、長穴１０ｃにボルト１１ａを挿通し、このボルト１１ａを前記ボルト挿通用の穴に挿通しナット１１ｂに螺合して所定の力で締め込むことによって、間柱７の上端部側面に取り付けられている。したがって、第１プレート１０ａは長穴１０ｃの長さの分、上下にスライド可能となる。逆から見れば、間柱７は長穴１０ｃの長さの分、上下にスライド可能となる。なお、間柱７の上端部側面に当接する第１プレート１０ａの表面に、例えばテフロン（登録商標）シート等の摩擦係数を低減できる薄いシートを貼り付けて、第１プレート１０ａと間柱７とを滑り易くすることによって、これらを相対的に上下方向にスライドし易くなるように構成してもよい。
また、前記各間柱７の下端部には、上端部と同様にして取付金具１０が取り付けられている。
【００１９】
上記のような構成のパネル状部材６は、以下のようにして建物ユニット１の骨組み５に取り付けられている。
すなわちまず、骨組み５の側面のうち、建物の外側を向く面を構成する側面開口に、パネル状部材６がその間柱７を内側に向けてはめ込まれている。
各間柱７の上端部に取り付けられている取付金具１０の第２プレート１０ｂを上梁３の下フランジ部に当接したうえで、この第２プレート１０ｂを下フランジ部に取り付ける。この場合、上梁３の下フランジには、ボルト挿通用の穴が所定間隔で、つまり、前記間柱７の配置間隔と等しい間隔で形成されており、下フランジ部の上面にはこの穴に対向してナット１５ｂが溶接等によって固定されている。そして、第２プレート１０ｂは、それを上梁３の下フランジ部の下面に当接したうえで、長穴１０ｄにボルト１５ａを挿通し、このボルト１５ａを前記ボルト挿通用の穴に挿通しナット１５ｂに螺合して所定の力で締め込むことによって、下フランジ部の下面に取り付けられている。
【００２０】
したがって、第２プレート１０ｂは長穴１０ｄの長さの分、左右（上梁３の長手方向）にスライド可能となる。逆から見れば、上梁３は長穴１０ｄの長さの分、左右（上梁３の長手方向）にスライド可能となる。このように、第２プレート１０ｂが左右（上梁３の長手方向）にスライド可能であるので、間柱７の上端部は取付金具１０を介して上梁３にその長手方向にスライド可能に取り付けられている。
なお、上梁３の下フランジ部の下面に当接する第２プレート１０ｂの表面に、例えばテフロン（登録商標）シート等の摩擦係数を低減できる薄いシートを貼り付けて、第２プレート１０ｂと下フランジ部とを滑り易くすることによって、これらを相対的に左右方向にスライドし易くなるように構成してもよい。
【００２１】
また、各間柱７の上端部に取り付けられている取付金具１０も、間柱７の上端部に取り付けられている取付金具１０と同様にして、下梁４の上フランジ部に下梁４の長手方向にスライド可能に取り付けられている。したがって、間柱下の上端部は取付金具１０を介して下梁４にその長手方向にスライド可能に取り付けられている。
なお、下梁４の上フランジ部の上面に当接する第２プレート１０ｂの表面に、例えばテフロン（登録商標）シート等の摩擦係数を低減できる薄いシートを貼り付けて、第２プレート１０ｂと下フランジ部とを滑り易くすることによって、これらを相対的に左右方向にスライドし易くなるように構成してもよい。
【００２２】
上記のようにして、パネル状部材６を建物ユニット１の骨組み５に取り付けた状態においては、図２に示すように、外装面材８は、その上下端部が間柱７の上下端よりそれぞれ突出するようにして間柱７に取り付けられているので、この間柱７の上下端よりそれぞれ突出している外装面材８の上下端部によって、それぞれ骨組み５の上下の梁３，４の前面が覆われている。
したがって、上下の梁３，４の前面に別途外装面材を取り付ける必要がなく、その分外装面材の施工が簡単となる。
また、パネル状部材６の間柱７には、図２に示すように、石膏ボード等の内装面材１６が取り付けられている。この内装面材１６の取り付けは、パネル状部材６を上記のようにして建物ユニット１の骨組５に取り付けた後行う。
間柱７には、外装面材８、内装面材１６等の面材の他に、例えば、窓枠等の枠部材等が取り付けられる。
【００２３】
図６は、パネル状部材６の間柱７を建物ユニット１の骨組５に取り付けた状態を示す側面図であり、（ａ）は水平方向に変形していない状態、（ｂ）は水平方向に平行四辺形状に変形した状態を示すものである。
図６（ａ）に示すように、骨組５には複数（４本）の間柱７が取付金具１０によって鉛直に取り付けられている。
ここで、例えば地震等の際に建物ユニット１に横方向の力が作用して、該建物ユニット１が横方向に揺れながら側面視略平行四辺形状態に変形した状態を図６（ｂ）に示す。
建物ユニット１１が側面視平行四辺形状に変形すると、上下の梁３，４が水平方向に互いに逆に移動し、それに伴って、間柱７の上下端部にそれぞれ取り付けられている取付金具１０，１０が上下の梁３，４の長手方向に互いに逆方向に相対的にスライドする。これによって、間柱７の上下端部はそれぞれ上下の梁３，４に長手方向に沿って相対的にスライドするので、間柱７が傾斜するのを防止して、該間柱７を鉛直方向に向けた状態に維持できる。
また、上下の梁３，４が水平方向に互いに逆に移動すると、これら上下の梁３，４の間隔が短くなる。上下の梁３，４の間隔が短くなると、間柱７の上下端部に取り付けられている取付金具１０が間柱７の側面に沿って互いに近付くようにして鉛直方向にスライドする。したがって、上下の梁３，４の間隔が短くなっても間柱７が座屈することもない。
このように、本実施の形態では、建物ユニット１が横方向に揺れながら側面視略平行四辺形状態に変形しても、間柱７は鉛直方向に向けた状態で維持されるとともに、座屈が生じることもないので、間柱７に取り付けられている窓枠や面材（外装面材８、内装面材１６）等の部材の変形、破損を防止できる。
【００２４】
また、本実施の形態では、パネル状部材６を工場等で予め製造しておくことにより、間柱７を建物のユニット１の上下の梁３，４に取り付けると同時に、外装面材１２を建物ユニット１に取り付けることができ、現場での施工が簡単となる。
【００２５】
なお、本実施の形態では、間柱７の上下端部をそれぞれ取付金具１０，１０によって上下の梁３，４に梁３，４の長手方向にスライド可能に取り付けたが、これに限ることなく、間柱１０の上下端部のうちの一方の端部を取付金具１０によって梁３または４の長手方向にスライド可能に取り付け、他方を図示しない固定金具によって梁３または４に固定してもよい。
また、本実施の形態では、予め外装面材８に間柱７を取り付けてなるパネル状部材６を建物ユニット１に組み込んで、間柱７を梁３，４に取り付けたが、これに限ることなく、現場で間柱７を梁３，４に取り付けた後、間柱７に外装面材８を取り付けてもよい。
【図面の簡単な説明】
【００２６】
【図１】本発明に係る間柱の取付構造を備えるべき建物ユニットの一例を示す斜視図である。
【図２】本発明に係る間柱の取付構造の一例を示すもので、その側断面図である。
【図３】同、間柱を示す斜視図である。
【図４】同、間柱の上端部と梁の取付構造を示す側面図である。
【図５】同、間柱の上端部と梁の取付構造を示す側断面図である。
【図６】同、（ａ）は建物ユニットが水平方向に変形していない状態を示す側面図、（ｂ）は建物ユニットが平行四辺形状に変形した状態を示す側面図である。
【符号の説明】
【００２７】
１  建物ユニット
２  柱
３  上梁
４  下梁
６  パネル状部材
７  間柱
８  外装面材
１０  取付金具
１６  内装面材
【図１】
2005307497.tif 000003
【図２】
2005307497.tif 000004
【図３】
2005307497.tif 000005
【図４】
2005307497.tif 000006
【図５】
2005307497.tif 000007
【図６】
2005307497.tif 000008